(57)【特許請求の範囲】
【請求項１】
洗浄液を貯蔵する複数のタンクと、被洗浄物を洗浄する洗浄ヘッドと、前記複数のタンクの洗浄液を前記洗浄ヘッドへ供給する供給側流路と前記洗浄ヘッドからの洗浄液を前記複数のタンクへ回収する回収側流路と、前記複数のタンクからの洗浄液を前記洗浄ヘッドへ送液する供給側送液手段と、前記洗浄ヘッドからの洗浄液を前記複数のタンクへ送液する回収側送液手段と、回収した洗浄液を浄化するフィルタと、前記複数のタンクの一方からの流路を、前記供給側流路及び回収側流路のいずれか一方に選択的に切り替えるとともに、前記複数のタンクの他方からの流路を、前記供給側流路及び回収側流路のいずれか他方に選択的に切り替える切替手段とを備え、前記複数のタンクからの洗浄液を前記供給側流路を流通させて前記洗浄ヘッドへ供給し、洗浄後の洗浄液を前記洗浄ヘッドから前記回収側流路を流通させて前記複数のタンクに回収する洗浄液の循環回路が形成されたものとし、
前記洗浄ヘッドは、下方に開口部を備えたヘッド本体と、前記開口部から露出した回転ブラシと、前記回転ブラシを回転駆動させる駆動手段と、前記供給側流路に接続され、前記複数のタンクからの洗浄液を前記回転ブラシへ供給する供給用ノズルと、前記回収側流路に接続され前記ヘッド本体内部の洗浄液を吸引する回収用ノズルとを備え、
前記ヘッド本体の開口部の全周に周縁ブラシを備え、
前記周縁ブラシの内側に止水パッキンを備えるとともに、
前記回収用ノズル及び前記止水パッキンは、前記周縁ブラシより下方へ突出して備えるとともに、前記止水パッキンは前記回収用ノズルより使用者の手元側に備え、
前記ヘッド本体下部には、複数のゴム製のガイドローラを前記ヘッド本体下部より下方へ突出して備えたことを特徴とする洗浄装置。
【請求項２】
洗浄液を貯蔵するタンクと、被洗浄物を洗浄する洗浄ヘッドと、前記タンクの洗浄液を前記洗浄ヘッドへ供給する供給側流路と前記洗浄ヘッドからの洗浄液を前記タンクへ回収する回収側流路と、前記タンクからの洗浄液を前記洗浄ヘッドへ送液する供給側送液手段と、前記洗浄ヘッドからの洗浄液をタンクへ送液する回収側送液手段と、回収した洗浄液を浄化するフィルタとを備え、前記タンクからの洗浄液を前記供給側流路を流通させて前記洗浄ヘッドへ供給し、洗浄後の洗浄液を前記洗浄ヘッドから前記回収側流路を流通させて前記タンクに回収する洗浄液の循環回路が形成されたものとし、
前記洗浄ヘッドは、下方に開口部を備えたヘッド本体と、前記開口部から露出した回転ブラシと、前記回転ブラシを回転駆動させる駆動手段と、前記供給側流路に接続され、前記タンクからの洗浄液を前記回転ブラシへ供給する供給用ノズルと、前記回収側流路に接続され前記ヘッド本体内部の洗浄液を吸引する回収用ノズルとを備え、
前記ヘッド本体の開口部の全周に周縁ブラシを備え、
前記周縁ブラシの内側に止水パッキンを備えるとともに、
前記回収用ノズル及び前記止水パッキンは、前記周縁ブラシより下方へ突出して備えるとともに、前記止水パッキンは前記回収用ノズルより使用者の手元側に備え、
前記ヘッド本体下部には、複数のゴム製のガイドローラを前記ヘッド本体下部より下方へ突出して備えたことを特徴とする洗浄装置。
【請求項３】
前記回転ブラシは一対の円盤状ブラシを備え、前記一対の円盤状ブラシは互いに異なる回転方向に回転し、前記一対の円盤状ブラシ周辺の前記洗浄液を前記一対の円盤状ブラシの回転に伴い前記回収用ノズルに案内可能とすることを特徴とする請求項１又は２に記載の洗浄装置。
【請求項４】
前記洗浄装置を移動手段に搭載して、移動可能に備えたことを特徴とする請求項１〜３のいずれか１項に記載の洗浄装置。
【発明の詳細な説明】
【技術分野】
【０００１】
本発明は、太陽光パネル等を洗浄する洗浄装置に関するものである。
【背景技術】
【０００２】
従来、太陽光発電施設の太陽光パネルの洗浄装置として、洗浄スプレー式の洗浄機があり、洗浄水を太陽光パネルに噴霧して太陽光パネルの洗浄を行っていた（特許文献１参照）。
【先行技術文献】
【特許文献】
【０００３】
【特許文献１】特開２０１１−１００７８２号公報
【発明の開示】
【発明が解決しようとする課題】
【０００４】
しかし、特許文献１の洗浄装置は、太陽光パネルを洗浄しようとした時、洗浄用の水を大量に必要とするが、発電施設には水源が無く、作業に使用する大量の水を施工会社より運搬しなければならなかった。
【０００５】
屋根の上や、屋上等、条件の悪い場所に、大量の洗浄水を供給するのが難しいという問題点もあった。
【０００６】
さらに、屋内のフロアを洗浄しようとした場合、洗浄水の周囲への飛散が懸念され、また、水源からの距離が遠い場合に、長い送水ホースを必要とするという問題点があった。
【０００７】
そこで、本発明は、上記課題を解消するものであり、使用する洗浄液の量を少なくし、周囲への洗浄液の飛散を抑えた洗浄装置を提供することを目的とする。
【課題を解決するための手段】
【０００８】
請求項１の発明は、洗浄液を貯蔵する複数のタンクと、被洗浄物を洗浄する洗浄ヘッドと、前記複数のタンクの洗浄液を前記洗浄ヘッドへ供給する供給側流路と前記洗浄ヘッドからの洗浄液を前記複数のタンクへ回収する回収側流路と、前記複数のタンクからの洗浄液を前記洗浄ヘッドへ送液する供給側送液手段と、前記洗浄ヘッドからの洗浄液を前記複数のタンクへ送液する回収側送液手段と、回収した洗浄液を浄化するフィルタと、前記複数のタンクの一方からの流路を、前記供給側流路及び回収側流路のいずれか一方に選択的に切り替えるとともに、前記複数のタンクの他方からの流路を、前記供給側流路及び回収側流路のいずれか他方に選択的に切り替える切替手段とを備え、前記複数のタンクからの洗浄液を前記供給側流路を流通させて前記洗浄ヘッドへ供給し、洗浄後の洗浄液を前記洗浄ヘッドから前記回収側流路を流通させて前記複数のタンクに回収する洗浄液の循環回路が形成されたものとし、前記洗浄ヘッドは、下方に開口部を備えたヘッド本体と、前記開口部から露出した回転ブラシと、前記回転ブラシを回転駆動させる駆動手段と、前記供給側流路に接続され、前記複数のタンクからの洗浄液を前記回転ブラシへ供給する供給用ノズルと、前記回収側流路に接続され前記ヘッド本体内部の洗浄液を吸引する回収用ノズルとを備え、前記ヘッド本体の開口部の全周に周縁ブラシを備え、前記周縁ブラシの内側に止水パッキンを備えるとともに、前記回収用ノズル及び前記止水パッキンは、前記周縁ブラシより下方へ突出して備えるとともに、前記止水パッキンは前記回収用ノズルより使用者の手元側に備え、前記ヘッド本体下部には、複数のゴム製のガイドローラを前記ヘッド本体下部より下方へ突出して備えたことを特徴とする。
【０００９】
請求項２の発明は、洗浄液を貯蔵するタンクと、被洗浄物を洗浄する洗浄ヘッドと、前記タンクの洗浄液を前記洗浄ヘッドへ供給する供給側流路と前記洗浄ヘッドからの洗浄液を前記タンクへ回収する回収側流路と、前記タンクからの洗浄液を前記洗浄ヘッドへ送液する供給側送液手段と、前記洗浄ヘッドからの洗浄液をタンクへ送液する回収側送液手段と、回収した洗浄液を浄化するフィルタとを備え、前記タンクからの洗浄液を前記供給側流路を流通させて前記洗浄ヘッドへ供給し、洗浄後の洗浄液を前記洗浄ヘッドから前記回収側流路を流通させて前記タンクに回収する洗浄液の循環回路が形成されたものとし、前記洗浄ヘッドは、下方に開口部を備えたヘッド本体と、前記開口部から露出した回転ブラシと、前記回転ブラシを回転駆動させる駆動手段と、前記供給側流路に接続され、前記タンクからの洗浄液を前記回転ブラシへ供給する供給用ノズルと、前記回収側流路に接続され前記ヘッド本体内部の洗浄液を吸引する回収用ノズルとを備え、前記ヘッド本体の開口部の全周に周縁ブラシを備え、前記周縁ブラシの内側に止水パッキンを備えるとともに、前記回収用ノズル及び前記止水パッキンは、前記周縁ブラシより下方へ突出して備えるとともに、前記止水パッキンは前記回収用ノズルより使用者の手元側に備え、前記ヘッド本体下部には、複数のゴム製のガイドローラを前記ヘッド本体下部より下方へ突出して備えたことを特徴とする。
【００１０】
請求項３の発明は、前記回転ブラシは一対の円盤状ブラシを備え、前記一対の円盤状ブラシは互いに異なる回転方向に回転し、前記一対の円盤状ブラシ周辺の前記洗浄液を前記一対の円盤状ブラシの回転に伴い前記回収用ノズルに案内可能とすることを特徴とする。
【００１１】
請求項４の発明は、前記洗浄装置を移動手段に搭載して、移動可能に備えたことを特徴とする。
【発明の効果】
【００１２】
請求項１の発明によれば、洗浄で使用した洗浄液をフィルタで浄化し、リサイクルすることにより、使用する洗浄液の量を少なくする事ができる。また、複数のタンクを回収用と供給用に交互に切り替えて使用することで、各タンクの回収側送液手段を交互に休ませながら作業を行うことができ、長時間の作業に対応することができる。また、洗浄ヘッド内に洗浄液を噴射させるため、周囲への飛散が無く、オフィスや工場等の床も洗浄する事ができる。さらに、洗浄ヘッドによる被洗浄物の洗浄では、ヘッド本体内部で供給用ノズルから被洗浄物と回転ブラシに洗浄液が噴出され、洗浄液による洗浄効果と、回転ブラシによる回転摩擦によって、被洗浄物の洗浄を行うことができる。また、周縁ブラシによって、太陽光パネルの周縁部分等の被洗浄物の細かな箇所に堆積した汚れを掻き出すことでさらなる洗浄効果の向上を図ることができる。また、傾斜した被洗浄物の平面を流れ落ちようとする洗浄後の洗浄液を止水パッキンで堰き止めて回収用ノズルから吸引し、回収側タンクに回収することができる。
【００１３】
請求項２の発明によれば、洗浄で使用した洗浄液をフィルタで浄化し、リサイクルすることにより、使用する洗浄液の量を少なくする事ができる。単体のタンクによる洗浄液の回収と供給の同時に行うことも可能となり、洗浄装置の部品点数の削減やコンパクト化を図ることができる。また、洗浄ヘッド内に洗浄液を噴射させるため、周囲への飛散が無く、オフィスや工場等の床も洗浄する事ができる。さらに、洗浄ヘッドによる被洗浄物の洗浄では、ヘッド本体内部で供給用ノズルから被洗浄物と回転ブラシに洗浄液が噴出され、洗浄液による洗浄効果と、回転ブラシによる回転摩擦によって、被洗浄物の洗浄を行うことができる。また、周縁ブラシによって、太陽光パネルの周縁部分等の被洗浄物の細かな箇所に堆積した汚れを掻き出すことでさらなる洗浄効果の向上を図ることができる。また、傾斜した被洗浄物の平面を流れ落ちようとする洗浄後の洗浄液を止水パッキンで堰き止めて回収用ノズルから吸引し、回収側タンクに回収することができる。
【００１４】
請求項３の発明によれば、一対の円盤状ブラシ周辺の洗浄液が、一対の円盤状ブラシの回転に伴い回収用ノズルに案内されるので、効率的な洗浄液の回収が可能となる。
【００１５】
請求項４の発明によれば、洗浄装置を様々な場所へ運搬可能とすることで、作業性の向上を図ることができる。
【図面の簡単な説明】
【００１６】
【図１】本発明の洗浄装置の第１実施例を示す図である。
【図２】同上、洗浄装置の使用状態を示す側面図である。
【図３】同上、洗浄ヘッドの平面図である。
【図４】同上、洗浄ヘッドの側面図である。
【図５】同上、洗浄ヘッドの断面図である。
【図６】本発明の洗浄装置の第２実施例の洗浄ヘッドの平面図である。
【図７】同上、洗浄ヘッドの回転ブラシの側面図である。
【図８】本発明の洗浄装置の第３実施例の洗浄ヘッドの平面図である。
【図９】同上、洗浄ヘッドの断面図である。
【図１０】本発明の洗浄装置の第４実施例を示す図である。
【図１１】同上、洗浄装置の使用状態を示す側面図である。
【発明を実施するための最良の形態】
【００１７】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１８】
図１〜図５は本発明の実施例１を示すものであり、本実施例の洗浄装置１は、洗浄液を貯蔵する第１のタンク２及び第２のタンク３と、被洗浄物を洗浄する洗浄ヘッド４と、第１のタンク２及び第２のタンク３からの洗浄液を洗浄ヘッド４へ供給するための供給側流路５と、洗浄ヘッド４からの洗浄液を第１のタンク２及び第２のタンク３へ回収するための回収側流路６とを備えている。
【００１９】
第１のタンク２は、第１の供給側配管７、余剰となった洗浄液を第１のタンク２に戻す第１のバイパス側配管８、第１の回収側配管９、第１の水面計10、第１のドレン11を備えている。
【００２０】
第１のタンク２の蓋体には、第１のタンク２内を負圧にする第１の吸引手段として第１のバキュームモータ12を備えている。
【００２１】
第２のタンク３は、第２の供給側配管13、余剰となった洗浄液を第２のタンク３に戻す第２のバイパス側配管14、第２の回収側配管15、第２の水面計16、第２のドレン17を備えている。
【００２２】
第２のタンク３の蓋体には、第２のタンク３内を負圧にする第２の吸引手段として第２のバキュームモータ18を備えている。
【００２３】
供給側流路５は、第１の供給側配管７の下流側と第２の供給側配管13の下流側とを合流させた合流部19を介して、洗浄ヘッド４の供給用ノズル20へ接続された第３の供給側配管21と、第３の供給側配管21の途中に設けた供給側分岐部22に備えた第４の供給側配管23と、第４の供給側配管23の下流側を第１のバイパス側配管８と第２のバイパス側配管14とに分岐させるバイパス側分岐部24とを備えている。
【００２４】
第５の供給側配管21の途中には、第１のタンク２及び第２のタンク３内の洗浄液を洗浄ヘッド４へ圧送する圧送手段としてのポンプ25と、供給側流路５内の洗浄液の浄化を行う供給側フィルタ26と、圧力計27と、ボールバルブ28とを備えている。
【００２５】
第１の供給側配管７、第１のバイパス側配管８、第２の供給側配管13、第２のバイパス側配管14には、それぞれ第１の供給側電磁弁29、第１のバイパス側電磁弁30、第２の供給側電磁弁31、第２のバイパス側電磁弁32を備えている。
【００２６】
また、第１のバイパス側配管８と第２のバイパス側配管14には、それぞれグローブバルブからなる第１のリリーフバルブ33と第２のリリーフバルブ34を備えている。
【００２７】
回収側流路６は、洗浄ヘッド４の回収用ノズル35に接続された第３の回収側配管36と、第３の回収側配管36の下流側を第１の回収側配管９の上流側と第２の回収側配管15の上流側に分岐させる回収側分岐部37を備えている。
【００２８】
第３の回収側配管36の途中には、回収用ノズル35から回収された洗浄液の浄化を行う回収側フィルタ38を備えている。
【００２９】
第１の回収側配管９と第２の回収側配管15には、それぞれ第１の吸気側電磁弁39と第２の吸気側電磁弁40を備えている。
【００３０】
また、洗浄装置１は、第１の吸気側電磁弁39、第２の吸気側電磁弁40、第１の供給側電磁弁29、第２の供給側電磁弁31、第１のバイパス側電磁弁30、第２のバイパス側電磁弁32の各開閉動作を自動で制御する制御盤41を備えている。
【００３１】
この制御盤41には、図示しないＯＮ／ＯＦＦスイッチ、非常停止スイッチ、起動時吸込みタンク指示切替スイッチ、自動／手動切替スイッチ等を備えている。
【００３２】
ここで洗浄ヘッド４の構成について説明すると、洗浄ヘッド４は、下方を開放した中空箱型状のヘッド本体42と、洗浄手段としてヘッド本体42に回転自在に軸支された回転ブラシ43と、ヘッド本体42に備えたギア群44を介して回転ブラシ43を回転駆動させる駆動手段としての洗浄用モータ45とを備えている。
【００３３】
ヘッド本体42の上面には、複数の供給用ノズル20が回転ブラシ43の軸方向に沿って並設されており、この複数の供給用ノズル20から被洗浄物Ｐとヘッド本体42内の回転ブラシ43に向けて洗浄液が噴出されるようになっている。
【００３４】
ヘッド本体42の使用者に対して手前側の後面には、回収用ノズル35が設置されており、ヘッド本体42内の洗浄液を回収するようになっている。
【００３５】
ヘッド本体42下部の開口縁部分の全周には、周縁ブラシ46がヘッド本体42下部より下方へ突出するように配置されている。
【００３６】
ヘッド本体42下部には、ヘッド本体42下部が被洗浄物Ｐに接触するのを防止する複数のゴム製の高さ調整式ガイドローラ47をヘッド本体42下部より下方へ突出するように配置している。
【００３７】
また、ヘッド本体42下部の後面側開口縁部分の周縁ブラシ46の内側には、止水パッキン48がヘッド本体42下部より下方へ突出するように設置されている。ここで止水パッキン48は後面側開口縁部分に沿って備えた平面視直線状でも、後面側開口縁部分と側面側開口縁部分に沿って備えた平面視略コ型状でも、平面視略Ｕ型状でもよいものとする。
【００３８】
尚、ガイドローラ47及び周縁ブラシ46のヘッド本体42下部より下方への突出する量は、止水パッキン48が下方へ突出する量より抑えられている。
【００３９】
ヘッド本体42の後面には、洗浄ヘッド４を中空筒状の柄部49に装着するための接続部50を上下左右方向に揺動自在に備えている。接続部50内部には、回収用ノズル35に接続された接続部側配管51が挿通されている。
【００４０】
接続部50の下面には、接続部50下面が被洗浄物に当接して傷付けるのを防止する弾性部材からなる傷防止パッド52を備えている。
【００４１】
そして、中空の柄部49を、第３の回収側配管36と、接続部50の接続部側配管51に接続することで、回収用ノズル35と第３の回収側配管36を接続している。尚、柄部49は、施工場所によって連結、取り外し、施工場所に応じた長さの柄部49を選択して洗浄ヘッド４に装着することで、自由に長さを変えることができる。
【００４２】
そして、洗浄装置１は、台車53、トラック、不整地運搬車、高所作業車等に搭載可能である。
【００４３】
以上の構成の洗浄装置の使用方法について説明する。最初に洗浄装置１を搭載した台車53等を太陽光パネル等の被洗浄物Ｐのところまで運搬しておく。
【００４４】
まず、第１のタンク２内の洗浄液を満水にするとともに、第２のタンク３を空の状態にして、吸込み指示切替スイッチを操作して、第２のタンク３を回収側タンクに切り替えると、第１のタンクは供給側タンクとなる（ステップＳ１）。
【００４５】
第１のタンク２の洗浄液をポンプ25により吸出し、洗浄ヘッド４の供給用ノズル20に圧送し、第２のバキュームモータ18により第２のタンク３内が負圧となり、回収用ノズル35を介して第２のタンク３に洗浄ヘッド４からの洗浄液を吸入する。
【００４６】
このステップＳ１では、吸込み指示切替スイッチにより第２のタンク３を回収側タンクに切り替えると、ポンプ25と第２のバキュームモータ18が作動し、各電磁弁の状態は、第２の吸気側電磁弁40、第１の供給側電磁弁29、第１のバイパス側電磁弁30が開状態となり、第１の吸気側電磁弁39、第２の供給側電磁弁31、第２のバイパス側電磁弁32が閉状態となり、第１のタンク２を供給側タンクとし、第２のタンク３を回収側タンクとした洗浄液の循環回路が形成される。
【００４７】
第１のタンク２の洗浄液が下限Ｍ１であることを第１の水面計10が感知すると、自動制御により、第１のタンク２を供給側タンクとし、第２のタンク３を回収側タンクとしていたステップＳ１から、第１のタンク２を回収側タンクとし、第２のタンク３を供給側タンクとするステップＳ２に切り替わり、第１のタンク２及び第２のタンク３の吐出、吸引の動作が自動的に入れ替わる。
【００４８】
このステップＳ２での動作状態では、第２のタンク３の洗浄液をポンプ25により吸出し、洗浄ヘッド４の供給用ノズル20に圧送し、第１のバキュームモータ12により第１のタンク２内が負圧となり、回収用ノズル35を介して第１のタンク２に洗浄ヘッド４からの洗浄液を吸入する。
【００４９】
ここでステップＳ２では、ポンプ25と第１のバキュームモータ12は作動し、各電磁弁の状態は、第１の吸気側電磁弁39、第２の供給側電磁弁31、第２のバイパス側電磁弁32が開状態となり、第２の吸気側電磁弁40、第１の供給側電磁弁29、第１のバイパス側電磁弁30が閉状態となり、第２のタンク３を供給側タンクとし、第１のタンク２を回収側タンクとした洗浄液の循環回路が形成される。
【００５０】
そしてステップＳ２では、第２のタンク３の洗浄液が下限Ｍ２であることを第２の水面計16が感知すると、自動制御により、第１のタンク２を回収側タンクとし、第２のタンク３を供給側タンクとするステップＳ２から、第１のタンク２を供給側タンクとし、第２のタンク３を回収側タンクとするステップＳ１に切り替わり、第１のタンク２及び第２のタンク３の吐出、吸引の動作が再度自動的に入れ替わる。
【００５１】
そして、ステップＳ１とステップＳ２を、洗浄液の損失により第１のタンク２と第２のタンク３の双方の水面計10,16が下限Ｍ１,Ｍ２を検知するまで繰り返し、停止する。
【００５２】
供給側タンクよりポンプ25から吸い出された洗浄液は、供給側フィルタ26でろ過された後、洗浄ヘッド４に圧送される。
【００５３】
洗浄ヘッド４より吸引された洗浄液は、回収側フィルタ38でろ過され、回収側タンクに戻される。
【００５４】
各水面計10,16は、水位検知深さを自由に設定可能であり、第１のバキュームモータ12及び第２のバキュームモータ18への洗浄液吸込み防止のための液面上限Ｈ１,Ｈ２や、ステップＳ１及びステップＳ２における液面下限Ｍ１,Ｍ２より下位で、ポンプ25の空気吸込み防止のための液面最下限Ｌ１,Ｌ２を自由に設定可能とすることにより、洗浄装置１の移動に伴う傾き等の異常を検知した場合に自動で洗浄装置１を停止させる。
【００５５】
作動中に洗浄装置１を停止させた場合、吸込み指示切替スイッチで吸込み開始タンクを指定して、再始動することができる。
【００５６】
非常時や異常時には、非常停止スイッチを操作することにより、洗浄装置１の全ての機能を停止させることができる。
【００５７】
第１のバキュームモータ12、第２のバキュームモータ18、ポンプ25等の過負荷や洗浄装置１の漏電の際は、自動で洗浄装置１を停止させることができる。
【００５８】
手動運転時では、第１のタンク２と第２のタンク３をそれぞれ供給側タンクと回収側タンクに切り替えてポンプ25の運転、停止を行うことができる。第１のバキュームモータ12と第２のバキュームモータ18を切り替えて運転、停止を行うことができる。その時、各電磁弁は適切な状態に自動的に切り替わるセミオート運転となる。
【００５９】
また、洗浄ヘッド４による太陽光パネル等の被洗浄物Ｐの洗浄では、ヘッド本体42内部で供給用ノズル20から被洗浄物Ｐと回転ブラシ43に洗浄液が噴出され、洗浄液による洗浄効果と、回転ブラシ43による回転摩擦によって、被洗浄物Ｐの洗浄を行う。
【００６０】
ここで、周縁ブラシ46によって、太陽光パネルの周縁部分等の被洗浄物Ｐの細かな箇所に堆積した汚れを掻き出すことでさらなる洗浄効果の向上を図ることができる。
【００６１】
そして、傾斜した被洗浄物Ｐの平面を流れ落ちようとする洗浄後の洗浄液を止水パッキン48で堰き止めて回収用ノズル35から吸引し、回収側タンクに回収する。
【００６２】
以上のように本実施例では、洗浄液を貯蔵する複数のタンクとして第１のタンク２と第２のタンク３と、被洗浄物を洗浄する洗浄ヘッド４と、前記第１のタンク２と第２のタンク３の洗浄液を前記洗浄ヘッド４へ供給する供給側流路５と前記洗浄ヘッド４からの洗浄液を前記第１のタンク２と第２のタンク３へ回収する回収側流路６と、前記第１のタンク２と第２のタンク３からの洗浄液を前記洗浄ヘッド４へ送液する供給側送液手段としてのポンプ25と、前記洗浄ヘッド４からの洗浄液を第１のタンク２と第２のタンク３へ送液する回収側送液手段としての第１のバキュームモータ12と第２のバキュームモータ18と、回収した洗浄液を浄化するフィルタとしての回収側フィルタ38と、前記第１のタンク２と第２のタンク３の一方からの流路を、前記供給側流路５及び回収側流路６のいずれか一方に選択的に切り替えるとともに、前記第１のタンク２と第２のタンク３の他方からの流路を、前記供給側流路５及び回収側流路６のいずれか他方に選択的に切り替える切替手段として第１の吸気側電磁弁39、第２の吸気側電磁弁40、第１の供給側電磁弁29、第１のバイパス側電磁弁30、第２の供給側電磁弁31、第２のバイパス側電磁弁32とを備え、前記第１のタンク２と第２のタンク３からの洗浄液を前記供給側流路５を流通させて前記洗浄ヘッド４へ供給し、洗浄後の洗浄液を前記洗浄ヘッド４から前記回収側流路６を流通させて前記第１のタンク２と第２のタンク３に回収する洗浄液の循環回路が形成したことにより、洗浄で使用した洗浄液を回収側フィルタ38と供給側フィルタ26で浄化し、リサイクルすることにより、使用する洗浄液の量を少なくする事ができる。また、第１のタンク２と第２のタンク３を回収用と供給用に交互に切り替えて使用することで、回収用の第１のバキュームモータ12と第２のバキュームモータ18を交互に休ませながら作業を行うことができ、長時間の作業に対応することができる。
【００６３】
また、前記洗浄装置１を移動手段として台車53等の運搬車に搭載して、移動可能に備えたことにより、洗浄装置１を様々な場所へ運搬可能とすることで、作業性の向上を図ることができる。
【００６４】
更に、前記洗浄ヘッド４は、下方に開口部を備えたヘッド本体42と、前記開口部から露出した洗浄手段としての回転ブラシ43と、前記供給側流路５に接続され、前記第１のタンク２と第２のタンク３からの洗浄液を前記回転ブラシ43へ供給する供給側ノズルとしての供給用ノズル20と、前記回収側流路６に接続され前記ヘッド本体42内部の洗浄液を吸引する回収側ノズルとしての回収用ノズル35とを備えたことにより、洗浄ヘッド４内に洗浄液を噴射させるため、周囲への飛散が無く、オフィスや工場等の床も洗浄する事ができる。
【実施例２】
【００６５】
次に図６及び図７は、本発明の第２実施例を示すものである。同図において、図１〜図５と同一部分には同一符号を付し、その共通する部分の詳細な説明は省略する。本実施例の洗浄ヘッド４では、洗浄手段をヘッド本体42内に並設された一対の円盤状ブラシ60,61とし、この一対の円盤状ブラシ60,61の平坦な底面は、ヘッド本体42下方の開口部から露出されている。
【００６６】
そして、この一対の円盤状ブラシ60,61はギア群44を介して洗浄用モータ45によって一方の円盤ブラシ60が時計回りに回転するのに対して、他方の円盤状ブラシ61が反時計回りに同期して回転可能に備えている。これによって、一対の円盤状ブラシ60,61周辺の洗浄液が、一対の円盤状ブラシ60,61の回転に伴い回収用ノズル35に案内されるので、効率的な洗浄液の回収が可能となる。
【実施例３】
【００６７】
次に図８及び図９は、本発明の第３実施例を示すものである。同図において、図１〜図７と同一部分には同一符号を付し、その共通する部分の詳細な説明は省略する。本実施例の洗浄ヘッド４では、洗浄手段をヘッド本体42内に並設された一対の円盤状ブラシ70,71を２組並設したものとし、各円盤状ブラシ70,71の平坦な底面は、ヘッド本体42下方の開口部から露出されている。
【００６８】
そして、この一対の円盤状ブラシ70,71はギア群44を介して洗浄用モータ45によって同じ方向に同期して回転可能に備えている。さらに、２組の一対の円盤状ブラシ70,71は互いに異なる回転方向に回転するものとする。これによって、内側に配置された円盤状ブラシ70,71周辺の洗浄液が、円盤状ブラシ70,71の回転に伴い回収用ノズル35に案内されるので、効率的な洗浄液の回収が可能となる。
【実施例４】
【００６９】
図１０〜図１１は本発明の実施例４を示すものである。同図において、図１〜図９と同一部分には同一符号を付し、その共通する部分の詳細な説明は省略する。本実施例の洗浄装置１は、洗浄液を貯蔵する第１のタンク２と、被洗浄物Ｐを洗浄する洗浄ヘッド４と、第１のタンク２からの洗浄液を洗浄ヘッド４へ供給するための供給側流路５と、洗浄ヘッド４からの洗浄液を第１のタンク２へ回収するための回収側流路６とを備えている。
【００７０】
第１のタンク２は、第１の供給側配管７、余剰となった洗浄液を第１のタンク２に戻す第１のバイパス側配管８、第１の回収側配管９、第１の水面計10、第１のドレン11を備えている。
【００７１】
第１のタンク２の蓋体には、第１のタンク２内を負圧にする第１の吸引手段として第１のバキュームモータ12を備えている。
【００７２】
供給側流路５では、第１の供給側配管７の下流側が洗浄ヘッド４の供給用ノズル20へ接続され、第１の供給側配管７の途中に設けた供給側分岐部22から第１のバイパス側配管８の上流側へ接続されている。
【００７３】
第１の供給側配管７の途中には、第１のタンク２内の洗浄液を洗浄ヘッド４へ圧送する圧送手段としてのポンプ25と、供給側流路５内の洗浄液の浄化を行う供給側フィルタ26と、圧力計27と、ボールバルブ28とを備えている。
【００７４】
また、第１のバイパス側配管８には、グローブバルブからなる第１のリリーフバルブ33を備えている。
【００７５】
回収側流路６は、上流側が洗浄ヘッド４の回収用ノズル35に接続され、下流側が回収用ノズル35から回収された洗浄液の浄化を行う回収側フィルタ38に接続された第３の回収側配管36と、上流側が回収側フィルタ38に接続され、下流側が第１のタンク２に接続された第１の回収側配管９を備えている。
【００７６】
洗浄装置１に備えた制御盤41には、図示しないＯＮ／ＯＦＦスイッチ、非常停止スイッチ、自動／手動切替スイッチ等を備えている。
【００７７】
また、第１のタンク２は、側面視Ｌ型に形成されており、この第１のタンク２の凹部60に洗浄装置１の各種機器の電源に用いられる発電機61が搭載されている。
【００７８】
また、第１のタンク２には、水面静止板62が設けられている。この水面静止板62は、タンク２の内部の底面部から立設された複数の板部材からなる。本実施例の複数の水面静止板62は、互いに平行に設けられているが、これに限定されるものではない。また、この水面静止板62には、複数の貫通部が形成されてもよいものとする。
【００７９】
そして、洗浄装置１は、台車、トラック、不整地運搬車、高所作業車等の移動手段に搭載可能であり、本実施例では、洗浄装置１を不整地走行用クローラー積載車63に搭載した実施形態を示す。
【００８０】
以上の構成の洗浄装置の使用方法について説明する。最初に洗浄装置１を搭載した不整地走行用クローラー積載車63を太陽光パネル等の被洗浄物Ｐのところまで運搬しておく。
【００８１】
まず、第１のタンク２内の洗浄液を満水にし、第１のタンク２の洗浄液をポンプ25により吸出し、洗浄ヘッド４の供給用ノズル20に圧送し、第１のバキュームモータ12により第１のタンク２内が負圧となり、回収用ノズル35を介して第１のタンク２に洗浄ヘッド４からの洗浄液を吸入し、洗浄液の循環回路が形成される。
【００８２】
第１のタンク２の洗浄液が最下限Ｌ１であることを第１の水面計10が感知すると、自動制御により、ポンプ25のエアの吸込みを防止するため、ポンプ25を停止させ、また第１のタンク２の洗浄液が上限Ｈ１であることを第１の水面計10が感知すると、自動制御により、第１のバキュームモータ12の洗浄液の吸込みを防止するため、第１のバキュームモータ12を停止させ、第１のタンク２の水位がＭ１の範囲まで復旧した際にはポンプ25及び第１のバキュームモータ12を再始動させることで、洗浄装置１の移動等による水位の動揺を想定した安全装置となっている。
【００８３】
そして、洗浄液の損失により第１のタンク２の水面計10が下限Ｍ１を検知するまで洗浄液の循環を繰り返した後、洗浄装置１は洗浄液の補給が必要であると警報を出し、設定時間以上洗浄液の補給が行われない場合は、洗浄装置１を自動停止する。
【００８４】
ここで、第１のタンク２よりポンプ25から吸い出された洗浄液は、供給側フィルタ26でろ過された後、洗浄ヘッド４に圧送される。
【００８５】
また、洗浄ヘッド４より吸引された洗浄液は、回収側フィルタ38でろ過され、第１のタンク２に戻される。
【００８６】
水面計10は、水位検知深さを自由に設定可能であり、第１のバキュームモータ12への洗浄液吸込み防止のための液面上限Ｈ１や、液面下限Ｍ１より下位で、ポンプ25の空気吸込み防止のための液面最下限Ｌ１を自由に設定可能とすることにより、洗浄装置１の移動に伴う傾き等の異常を検知した場合に自動で洗浄装置１を停止させる。
【００８７】
非常時や異常時には、非常停止スイッチを操作することにより、洗浄装置１の全ての機能を停止させることができる。
【００８８】
第１のバキュームモータ12、ポンプ25等の過負荷や洗浄装置１の漏電の際は、自動で洗浄装置１を停止させることができる。
【００８９】
手動運転時では、ポンプ25や第１のバキュームモータ12の運転、停止を行うことができる。
【００９０】
以上のように本実施例では、洗浄液を貯蔵する複数のタンクとして第１のタンク２と、被洗浄物Ｐを洗浄する洗浄ヘッド４と、前記第１のタンク２の洗浄液を前記洗浄ヘッド４へ供給する供給側流路５と前記洗浄ヘッド４からの洗浄液を前記第１のタンク２へ回収する回収側流路６と、前記第１のタンク２からの洗浄液を前記洗浄ヘッド４へ送液する供給側送液手段としてのポンプ25と、前記洗浄ヘッド４からの洗浄液を第１のタンク２へ送液する回収側送液手段としての第１のバキュームモータ12と、回収した洗浄液を浄化するフィルタとしての回収側フィルタ38とを備え、前記第１のタンク２からの洗浄液を前記供給側流路５を流通させて前記洗浄ヘッド４へ供給し、洗浄後の洗浄液を前記洗浄ヘッド４から前記回収側流路６を流通させて前記第１のタンク２に回収する洗浄液の循環回路が形成したことにより、洗浄で使用した洗浄液を回収側フィルタ38と供給側フィルタ26で浄化し、リサイクルすることにより、使用する洗浄液の量を少なくする事ができる。また、第１のタンク２単体で洗浄液の循環回路を形成するため、実施例１において第１のタンク２と第２のタンク３の流路を切り替える第１の吸気側電磁弁39、第２の吸気側電磁弁40、第１の供給側電磁弁29、第１のバイパス側電磁弁30、第２の供給側電磁弁31、第２のバイパス側電磁弁32を必要としない洗浄液の循環回路を形成し、洗浄装置１の部品点数の削減やコンパクト化を図ることができる。このように洗浄装置１をコンパクトにすることにより、洗浄装置１を背負っての作業も可能となる。この場合、洗浄装置１の電源に発電機61ではなく、外部電源を使用することで、洗浄装置１の軽量化を図ることができる。
【００９１】
また、第１のタンク２に水面静止板62を設けたことにより、洗浄装置１の移動に伴う傾きや振動などによって第１のタンク２が揺れた場合に生じる第１のタンク２内部で発生する波を打ち消し、第１のタンク２内部の洗浄液が一方向に集まり洗浄装置１のバランスが崩れることを防止することができる。
【００９２】
尚、本発明は上記各実施例に記載の内容に限定されず、適宜変更可能である。例えば、洗浄装置は台車より装置を外す事により、いろいろな手段の物に搭載可能である。例えば、動力付き台車や不整地走行用クローラー積載車、高所作業車、積載型トラック等に搭載する事ができる。また、作業する場所や環境により、タンクの大きさや数や洗浄ヘッドの形状を変える事も可能である。
【符号の説明】
【００９３】
１  洗浄装置
２  第１のタンク
３  第２のタンク
４  洗浄ヘッド
５  供給側流路
６  回収側流路
12  第１のバキュームモータ（回収側送液手段）
18  第２のバキュームモータ（回収側送液手段）
20  供給用ノズル
25  ポンプ（供給側送液手段）
29  第１の供給側電磁弁（切替手段）
30  第１のバイパス側電磁弁（切替手段）
31  第２の供給側電磁弁（切替手段）
32  第２のバイパス側電磁弁（切替手段）
35  回収用ノズル
38  回収側フィルタ
39  第１の吸気側電磁弁（切替手段）
40  第２の吸気側電磁弁（切替手段）
42  ヘッド本体
43  回転ブラシ
45  洗浄用モータ
46  周縁ブラシ
47  ガイドローラ
48  止水パッキン
53  台車（移動手段）
60,61,70,71  円盤状ブラシ
【図１】
0006449112.tif 000002
【図２】
0006449112.tif 000003
【図３】
0006449112.tif 000004
【図４】
0006449112.tif 000005
【図５】
0006449112.tif 000006
【図６】
0006449112.tif 000007
【図７】
0006449112.tif 000008
【図８】
0006449112.tif 000009
【図９】
0006449112.tif 000010
【図１０】
0006449112.tif 000011
【図１１】
0006449112.tif 000012